(57)【要約】  機器１０は、ケーブル１０１と、ヒューズ１２１を介してケーブル１０１に接続される負荷１１１とを含むケーブルシステムにおける問題を報告し、ヒューズ１２１が導通モードから非導通モードになっていること、又は非導通モードに達したことを検出するための第１の回路１と、ケーブル１０１に接続されている装置２０から第１のパルス信号を受信し、第１のパルス信号の受信に応じて、装置２０に第２のパルス信号を送信するための第２の回路２と、第１の回路からの検出結果に応じて、第２の回路２を作動させるための第３の回路３とを含む。装置２０は問題を探索し、機器１０に第１のパルス信号を送信するための送信器２１と、機器１０から第２のパルス信号を受信するための受信器２２とを含む。第２のパルス信号は問題を示し、第１のパルス信号の送信と第２のパルス信号の受信との間の時間間隔は問題の位置を示す。
2016525210.tif 000002
【特許請求の範囲】
【請求項１】
ケーブルと、ヒューズを介して前記ケーブルに接続される負荷と、を含むケーブルシステムにおける問題を報告するための機器であって、
前記ヒューズが導通モードから非導通モードになっていること、又は当該非導通モードに達したことを検出するための、第１の回路と、
作動されたときに、前記ケーブルに接続されている装置から第１のパルス信号を受信し、前記第１のパルス信号の受信に応じて、前記装置に第２のパルス信号を送信するための、第２の回路と、
前記第１の回路からの検出結果に応じて、前記第２の回路を作動させるための、第３の回路と、
を含む、機器。
【請求項２】
前記第２のパルス信号は、前記第１のパルス信号の反射である、請求項１に記載の機器。
【請求項３】
前記第１のパルス信号の持続時間は、２ｍ秒よりも小さい、請求項１又は２に記載の機器。
【請求項４】
前記第１の回路は、前記負荷を通って若しくは前記ヒューズを通って流れる電流信号を検出するためか、前記負荷の間若しくは前記ヒューズの間に存在する電圧信号を検出するためか、又は前記ヒューズが前記導通モードから前記非導通モードになっていること、若しくは前記非導通モードに達したことを表す別の信号を検出するための、検出器を含む、請求項１乃至３の何れか一項に記載の機器。
【請求項５】
前記第２の回路はシグナリングキャパシタを含み、前記第３の回路はスイッチを含む、請求項１乃至４の何れか一項に記載の機器。
【請求項６】
前記シグナリングキャパシタと前記スイッチとは第１の直列接続の一部を形成し、前記ヒューズと前記負荷とは第２の直列接続の一部を形成し、前記第１の直列接続と前記第２の直列接続とは互いに並列に結合される、請求項５に記載の機器。
【請求項７】
前記スイッチは、前記第１の回路からの前記検出結果に応じて導通モードになり、前記スイッチのリセットまで当該導通モードに留まる、請求項５又は６に記載の機器。
【請求項８】
請求項１乃至７の何れか一項に記載の機器を含み、前記負荷及び／又は前記ヒューズを更に含む、アレンジメント。
【請求項９】
ケーブルと、ヒューズを介して前記ケーブルに接続される負荷と、を含むケーブルシステムにおける問題を探索するための装置であって、
請求項１乃至７の何れか一項に記載の機器に第１のパルス信号を送信するための、送信器と、
前記機器から第２のパルス信号を受信するための、受信器と、を含み、
前記第２のパルス信号は前記問題を示し、前記第１のパルス信号の送信と前記第２のパルス信号の受信との間の時間間隔は前記問題の位置を示す、
装置。
【請求項１０】
前記第２のパルス信号は、前記第１のパルス信号の反射であり、前記第１のパルス信号よりも小さな振幅を有する、請求項９に記載の装置。
【請求項１１】
前記第１のパルス信号の持続時間は、２ｍ秒よりも小さい、請求項９又は１０に記載の装置。
【請求項１２】
前記機器がシグナリングキャパシタを含み、別の機器に結合されている負荷が蓄積キャパシタを含む、請求項９乃至１１の何れか一項に記載の装置であって、
前記シグナリングキャパシタ及び前記蓄積キャパシタを充電するための充電信号を生成するための、充電器と、
前記蓄積キャパシタを放電することなく前記シグナリングキャパシタを放電するための、放電器と、を更に含み、
前記第１のパルス信号の振幅は、充電された前記蓄積キャパシタの間に存在する電圧信号の振幅よりも小さい、
装置。
【請求項１３】
ケーブルと、ヒューズを介して前記ケーブルに接続される負荷と、を含み、請求項１乃至７の何れか一項に記載の機器、及び／又は請求項９乃至１２の何れか一項に記載の装置を更に含む、ケーブルシステム。
【請求項１４】
請求項１乃至７の何れか一項に記載の機器と、請求項９乃至１２の何れか一項に記載の装置と、を含む、パッケージシステム。
【請求項１５】
ケーブルと、ヒューズを介して前記ケーブルに接続される負荷と、を含むケーブルシステムにおける問題を探索するための方法であって、装置から前記問題を報告するための機器に第１のパルス信号を送信し、前記機器は、前記ヒューズが導通モードから非導通モードになっていること、又は当該非導通モードに達したことを検出し、前記第１のパルス信号を受信し、前記第１のパルス信号の受信に応じて、及び検出結果に応じて、前記装置に第２のパルス信号を送信する第１のステップと、前記第２のパルス信号を受信する第２のステップと、を含み、前記第２のパルス信号は前記問題を示し、前記第１のパルス信号の送信と前記第２のパルス信号の受信との間の時間間隔は前記問題の位置を示す、方法。
【発明の詳細な説明】
【技術分野】
【０００１】
本発明は、ケーブルと、ヒューズを介してケーブルに接続される負荷とを含むケーブルシステムにおける問題を報告するための機器に関する。
【０００２】
更に、本発明は、機器を含むアレンジメント、ケーブルシステムにおける問題を探索するための装置、ケーブルシステム、パッケージシステム、及び方法に関する。
【０００３】
こうした問題の例は、破壊されたヒューズである。こうした負荷の例は、電力供給され／電気的に動力供給され／給電される必要のあるランプ及び他のユニットである。
【背景技術】
【０００４】
中国特許出願公開第１０１６３５０７７Ａ号は、道路灯ケーブルのための盗難防止検出方法を開示するが、これは、道路灯ケーブルに可変周波数の入力電流信号が注入され、様々な周波数の入力電流信号に対して出力電流信号及び出力電圧信号が測定されなければならず、道路灯の共振周波数が考慮に入れられなければならず、実際の道路灯の数がわかっている必要がある。このように、比較的複雑な態様で道路灯ケーブルが監視され得る。
【０００５】
中国実用新案第２０１６９０６４８Ｕ号は、ＧＰＲＳ又は３Ｇ等の無線感知ネットワークに基づくインテリジェント街灯システムを開示する。このように、比較的複雑な態様で街灯システムが監視され得る。
【発明の概要】
【発明が解決しようとする課題】
【０００６】
本発明の目的は、改善された機器を提供することである。本発明の更なる目的は、アレンジメント、改善された装置、ケーブルシステム、パッケージシステム、及び改善された方法を提供することである。
【課題を解決するための手段】
【０００７】
第１の態様によると、ケーブルと、ヒューズを介してケーブルに接続される負荷とを含むケーブルシステムにおける問題を報告するための機器であって、
ヒューズが導通モードから非導通モードになっていること、又は非導通モードに達したことを検出するための、第１の回路と、
作動されたときに、ケーブルに接続されている装置から第１のパルス信号を受信し、第１のパルス信号の受信に応じて、装置に第２のパルス信号を送信するための、第２の回路と、
第１の回路からの検出結果に応じて、第２の回路を作動させるための、第３の回路と、
を含む、機器が提供される。
【０００８】
機器は、ケーブルと、ヒューズを介してケーブルに接続される負荷とを含むケーブルシステムにおける破壊されたヒューズ等の問題を、装置から第１のパルス信号を受信し、これに応じて装置に第２のパルス信号を送り返すことによって報告するが、これは、ヒューズが破壊されたことが検出された場合のみである。このために、第１の回路を介して、ヒューズが導通モードから非導通モードになっていること、又は非導通モードに達したことが検出される。導通モードは、ヒューズが導通し、及び／又はケーブルと負荷とを例えば１００オーム未満、好ましくは１０オーム未満、更に好ましくは１オーム未満等といった、比較的小さな抵抗値を介して接続しているモードである。非導通モードは、ヒューズが非導通であり、及び／又はケーブルと負荷とを比較的小さな抵抗値を介しては接続しておらず、１ｋオームを超える、好ましくは１０ｋオームを超える、更に好ましくは１００ｋオームを超える等といった、少なくとも比較的大きな抵抗値を示しているモードである。第２の回路を介して、ケーブルに接続されている装置から第１のパルス信号が受信され、第１のパルス信号の受信に応じて、装置に第２のパルス信号が送り返されるが、これは、第２の回路が作動された後のみである。第３の回路を介して、第１の回路からの検出結果に応じて、第２の回路が作動される。結果として、ヒューズ及び／又は負荷に近接して設置されている機器は、中央位置に設置されている装置に問題を報告することができ、これは大きな利点である。第２のパルス信号は問題を示し、装置における第１のパルス信号の送信と第２のパルス信号の受信との間の時間間隔は、問題の位置を示す。
【０００９】
ヒューズと負荷との間の接続の切断、負荷の欠落、及び／又は負荷の故障等の他の種類の問題も、同様に報告され得る。例えば導入の直後又はリセットの直後等といった機器の開始時には、第２の回路は非作動とされ、作動されるのを待機している。非作動モードでは、第２の回路はケーブルシステムに認識されず、ケーブルシステムにいかなる影響も及ぼさない。
【００１０】
機器の実施形態は、第２のパルス信号が、第１のパルス信号の反射であることによって規定される。第１のパルス信号の反射であるとき、第２のパルス信号は第１のパルス信号よりも小さな振幅を有し、第１のパルス信号とは別の極性を有し得る。
【００１１】
機器の実施形態は、第１のパルス信号の持続時間が２ｍ秒よりも小さいことによって規定される。第１のパルス信号は比較的高周波の信号であり、この場合ケーブルを介して負荷に給電するための５０Ｈｚ又は６０Ｈｚの供給信号は、比較的低周波の信号であるとみなされる。第１のパルス信号の周波数は、反射信号を区別するために、主電源周波数の数倍であるか、又は更に高くてもよい。直流の供給信号等の他の供給信号も除外されるべきではない。
【００１２】
好ましくは、第１のパルスは電圧信号である。
【００１３】
機器の実施形態は、第１の回路が、負荷を通って若しくはヒューズを通って流れる電流信号を検出するためか、負荷の間若しくはヒューズの間に存在する電圧信号を検出するためか、又はヒューズが導通モードから非導通モードになっていること、若しくは非導通モードに達したことを表す別の信号を検出するための検出器を含むことによって規定される。ヒューズのモードを検出するために多くの様々な態様が可能である。検出器は、場合によっては更なる回路を用いて、変流器、リレーコイル、トランジスタ、サイリスタ、トライアック等を含んでもよい。
【００１４】
機器の実施形態は、第２の回路がシグナリングキャパシタを含み、第３の回路がスイッチを含むことによって規定される。シグナリングキャパシタは、第１のパルス信号を反射して第２のパルス信号にするために適しており、スイッチは、シグナリングキャパシタを作動させ、及び非作動とさせるために適している。他の構成要素も除外されず可能である。スイッチは、場合によっては更なる回路を用いて、リレー接点、トランジスタ、サイリスタ、トライアック等を含んでもよい。
【００１５】
機器の実施形態は、シグナリングキャパシタとスイッチとが第１の直列接続の一部を形成し、ヒューズと負荷とが第２の直列接続の一部を形成し、第１の直列接続と第２の直列接続とが互いに並列に結合されることによって規定される。他の構成も除外されず可能である。
【００１６】
機器の実施形態は、スイッチが、第１の回路からの検出結果に応じて非導通モードから導通モードになり、スイッチのリセットまでこの導通モードに留まることによって規定される。好ましくは、スイッチは、例えば、ランプを含む負荷の場合には日中等といったように、負荷がオフに切り替えられたときに、第１のパルス信号と第２のパルス信号とが交換されることを可能にするために、スイッチのリセットまで導通モードに留まる。導通モードは、スイッチが導通し、及び／又はシグナリングキャパシタをケーブル（の両方の導体）に例えば１００オーム未満、好ましくは１０オーム未満、更に好ましくは１オーム未満等といった比較的小さな抵抗値を介して接続しているモードである。非導通モードは、スイッチが非導通であり、及び／又はシグナリングキャパシタをケーブル（の両方の導体に）比較的小さな抵抗値を介しては接続しておらず、１ｋオームを超える、好ましくは１０ｋオームを超える、更に好ましくは１００ｋオームを超える等といった、少なくとも比較的大きな抵抗値を示しているモードである。リセットは、ローカルリセット、リモートリセット、及び交換を含む。
【００１７】
第２の態様によると、上述の機器を含み、負荷及び／又はヒューズを更に含むアレンジメントが提供される。
【００１８】
第３の態様によると、ケーブルと、ヒューズを介してケーブルに接続される負荷とを含むケーブルシステムにおける問題を探索するための装置であって、
上述の機器に第１のパルス信号を送信するための、送信器と、
機器から第２のパルス信号を受信するための、受信器と、を含み、
第２のパルス信号は問題を示し、第１のパルス信号の送信と第２のパルス信号の受信との間の時間間隔は問題の位置を示す、
装置が提供される。
【００１９】
装置の実施形態は、第２のパルス信号が第１のパルス信号の反射であり、第１のパルス信号よりも小さな振幅を有することによって規定される。
【００２０】
装置の実施形態は、第１のパルス信号の持続時間が２ｍ秒よりも小さいことによって規定される。
【００２１】
装置の実施形態は、機器がシグナリングキャパシタを含み、別の機器に結合されている負荷が蓄積キャパシタを含み、装置は、
シグナリングキャパシタ及び蓄積キャパシタを充電するための充電信号を生成するための、充電器と、
蓄積キャパシタを放電することなくシグナリングキャパシタを放電するための、放電器と、を更に含み、
第１のパルス信号の振幅は、充電された蓄積キャパシタの間に存在する電圧信号の振幅よりも小さいことによって規定される。
【００２２】
シグナリングキャパシタは例えば１マイクロファラッド未満の値を有し、蓄積キャパシタは例えば１０マイクロファラッドを超える値を有する。負荷が、シグナリングキャパシタのキャパシタンス値よりも大きなキャパシタンス値を有するこうした蓄積キャパシタを含む場合、２つの問題が発生する恐れがある。第１に、（装置のより近くに設置されている）別の機器に接続されている負荷の蓄積キャパシタが第１のパルス信号を遮断し、第１のパルス信号を、装置に戻る反射された第２のパルス信号へと変換するという事実のせいで、シグナリングキャパシタはこの第１のパルス信号をもはや反射しない恐れがある。第２に、この蓄積キャパシタは、対応するヒューズが導電モードにある場合にさえ第１のパルス信号を反射する恐れがある。これらの問題を解決するために、充電器は、シグナリングキャパシタ及び蓄積キャパシタを充電するための充電信号を生成し、放電器は、蓄積キャパシタを放電することなくシグナリングキャパシタのみを放電し、これにより、第１のパルス信号の振幅は、充電された蓄積キャパシタの間に存在する電圧信号の振幅よりも小さくなければならない。この態様で、蓄積キャパシタは第１のパルス信号に認識されないようにされる。
【００２３】
ある実施形態では、負荷はＬＥＤランプであり、蓄積キャパシタは、ＬＥＤドライバ内のブリッジ整流器の後方のバルクキャパシタである。
【００２４】
第４の態様によると、ケーブルと、ヒューズを介してケーブルに接続される負荷とを含み、上述の機器、及び／又は上述の装置を更に含む、ケーブルシステムが提供される。
【００２５】
第５の態様によると、上述の機器と上述の装置とを含む、パッケージシステムが提供される。
【００２６】
第６の態様によると、ケーブルと、ヒューズを介してケーブルに接続される負荷とを含むケーブルシステムにおける問題を探索するための方法であって、装置からケーブルシステムにおける問題を報告するための機器に第１のパルス信号を送信し、機器は、ヒューズが導通モードから非導通モードになっていること、又は非導通モードに達したことを検出し、第１のパルス信号を受信し、第１のパルス信号の受信に応じて、及び検出結果に応じて、装置に第２のパルス信号を送信する第１のステップと、第２のパルス信号を受信する第２のステップとを含み、第２のパルス信号は問題を示し、第１のパルス信号の送信と第２のパルス信号の受信との間の時間間隔は問題の位置を示す、方法が提供される。
【００２７】
基本的な着想は、ヒューズのモードが検出され、検出結果に応じて、第１のパルス信号が受信され、受信に応じて第２のパルス信号が送信されるということである。
【００２８】
改善された機器及び改善された装置、並びに改善された方法を提供するという課題が解決された。更なる利点は、改善された機器及び改善された装置は、単純、低コスト、かつロバストであることである。
【００２９】
本発明のこれらの態様及び他の態様は、以下に説明される実施形態から明らかとなり、これらの実施形態を参照して解明される。
【図面の簡単な説明】
【００３０】
【図１】従来技術のケーブルシステムを示す。
【図２】機器、ヒューズ、及び負荷を示す。
【図３】機器の第１の実施形態を示す。
【図４】機器の第２の実施形態を示す。
【図５】装置を示す。
【図６】問題の発生を示す。
【図７】問題の報告を示す。
【図８】従来技術の負荷を示す。
【発明を実施するための形態】
【００３１】
図１では、ケーブル１０１と、負荷１１１〜１１５と、ヒューズ１２１〜１２５とを含む従来技術のケーブルシステムが示される。各負荷１１１〜１１５は、ヒューズ１２１〜１２５を介してケーブル１０１の第１の導体に間接的に結合され、また、ケーブル１０１の第２の導体に直接結合される。負荷１１１〜１１５は、例えば１以上の発光ダイオードを含むランプ等の任意の種類の負荷である。ある実施形態では、負荷は整流器負荷等の非線形負荷である。整流器負荷のインピーダンスは容量性である。ヒューズ１２１〜１２５は、任意の種類のヒューズである。代替的に、ケーブル１０１の第２の導体は、例えばグランドを介して他の態様で配置されてもよい。
【００３２】
図２では、機器１０が示される。機器１０は、ケーブル１０１と、ヒューズ１２１を介してケーブル１０１に接続される負荷１１１とを含むケーブルシステムにおける問題を報告する。機器１０は、ヒューズ１２１が導通モードから非導通モードになっていること、又は非導通モードに達したことを検出するための第１の回路１を含む。機器１０は、作動モードにおいて、ケーブル１０１に接続されている図５に示され図５を通して更に説明される装置２０から第１のパルス信号を受信するための、ケーブル１０１に接続可能な第２の回路２を更に含む。第１のパルス信号の受信に応じて、第２の回路２は、装置２０に第２のパルス信号を送信する。機器１０は、第１の回路１からの検出結果に応じて、第２の回路２を作動させるための第３の回路３を更に含む。したがって、機器１０の開始時には、第２の回路２は非作動モードにある。
【００３３】
好ましくは、図６及び図７に示され図６及び図７を通して更に説明されるように、第２のパルス信号は第１のパルス信号の反射であり、第１のパルス信号の持続時間は２ｍ秒よりも小さい。
【００３４】
図３では、機器１０の第１の実施形態が示される。ここでは単に例示として、第２の回路２はシグナリングキャパシタ４を含み、第３の回路３はスイッチ５を含む。シグナリングキャパシタ４とスイッチ５とは直列に接続され、ケーブル１０１の両方の導体に結合される第１の直列接続の一部を形成する。ヒューズ１２１と負荷１１１（負荷１１１はここには示されていない）とは、第１の直列接続と並列に結合される第２の直列接続の一部を形成する。ここでは、第１の回路１は、第１の導体とヒューズ１２１の一方側とに結合される第１の端子と、ヒューズ１２１の他方側に結合される第２の端子と、ケーブル１０１の第２の導体に結合される第３の端子とを有する。この第１の回路１は、例えば、負荷１１１の間若しくはヒューズ１２１の間に存在する電圧信号を検出するか、又はヒューズ１２１が導通モードから非導通モードになっていること、若しくは非導通モードに達したことを表す別の信号を検出するための検出器を含む。第１の回路１は、例えば、電圧信号を第１の基準信号と比較するための比較器を更に含んでもよい。ヒューズ１２１の間に存在する電圧信号の増大、又は負荷１１１の間に存在する電圧信号の低減等の電圧信号の変化に応じて、第１の回路１は、スイッチ５を導通モードへと切り替える。好ましくは、スイッチ５は、スイッチ５のリセットまでこの導通モードに留まる。結果として、ヒューズ１２１が破壊されることに応じて、図６及び図７を通して更に説明されるように、シグナリングキャパシタ４が作動され、第１のパルス信号を受信し、第２のパルス信号を送信すること等ができる。
【００３５】
図４では、機器１０の第２の実施形態が示される。ここでは、やはり単に例示として、第２の実施形態は、第１の回路１が、第１の導体とヒューズ１２１の一方側とに結合される第１の端子と、ヒューズ１２１の他方側に結合される第２の端子と、ケーブル１０１の第２の導体と負荷１１１の一方側とに結合される第３の端子と、負荷１１１の他方側に結合される第４の端子とを有することにおいて、第１の実施形態と異なる。この第１の回路１は、例えば、負荷１１１を通って若しくはヒューズ１２１を通って流れる電流信号を検出するか、又はヒューズ１２１が導通モードから非導通モードになっていること、若しくは非導通モードに達したことを表す別の信号を検出するための検出器を含む。第１の回路１は、例えば、電流信号を第２の基準信号と比較するための比較器を更に含んでもよい。負荷１１１を通って又はヒューズ１２１を通って流れる電流信号の低減等の電流信号の変化に応じて、第１の回路１は、スイッチ５を導通モードへと切り替える。好ましくは、スイッチ５は、スイッチ５のリセットまでこの導通モードに留まる。結果として、ヒューズ１２１が破壊されることに応じて、図６及び図７を通して更に説明されるように、シグナリングキャパシタ４が作動され、第１のパルス信号を受信し、第２のパルス信号を送信すること等ができる。
【００３６】
図５では、装置２０が示される。ケーブル１０１と、ヒューズ１２１を介してケーブル１０１に接続される負荷１１１とを含むケーブルシステムにおける問題を探索するための装置２０は、例えば、ケーブル１０１の導体に結合されるインターフェース２５を含む。装置２０は、例えば、機器１０に第１のパルス信号を送信するためにインターフェース２５に結合される送信器２１と、機器１０から第２のパルス信号を受信するためにインターフェース２５に結合される受信器２２とを更に含む。この第２のパルス信号は問題を示し、第１のパルス信号の送信と第２のパルス信号の受信との間の時間間隔は問題の位置を示す。装置２０は、例えば、示されてはいない、プロセッサ２６に結合されるマン・マシン・インターフェースを場合によっては介した制御、計算及び／又は表示の目的のために、送信器２１、受信器２２、及びインターフェース２５に結合されるプロセッサ２６を更に含む。
【００３７】
好ましくは、第２のパルス信号は第１のパルス信号の反射であり、第１のパルス信号よりも小さな振幅を有し、第１のパルス信号の持続時間は２ｍ秒よりも小さい。場合により、機器１０がシグナリングキャパシタ４を含み、負荷１１１が蓄積キャパシタ２０２を含むときには、装置２０は、図６乃至図８を通して更に説明されるように、シグナリングキャパシタ４及び蓄積キャパシタ２０２を充電するための充電信号を生成するためにインターフェース２５とプロセッサ２６とに結合される充電器２３と、蓄積キャパシタ２０２を放電することなくシグナリングキャパシタ４を放電するためにインターフェース２５とプロセッサ２６とに結合される放電器２４とを更に備える。このとき第１のパルス信号の振幅は、充電された蓄積キャパシタ２０２の間に存在する電圧信号の振幅よりも小さくなければならない。
【００３８】
図６では、問題の発生が示される。ヒューズ１２３及びヒューズ１２５は導通モードにある。ヒューズ１２４は、もはや導通モードになく、結果として、シグナリングキャパシタ４が作動される。
【００３９】
図７では、問題の報告が示される。比較的大きな第１のパルス信号が装置２０によって負荷１１１〜１１５に送信される。負荷１１３と負荷１１５との間で、シグナリングキャパシタ４が作動され、このシグナリングキャパシタ４は、比較的大きな第１のパルス信号を遮断し、第１のパルス信号を、ここでは逆極性の装置２０に戻る反射された比較的小さな第２のパルス信号へと変換する。ケーブル１０１を通過するときのパルス信号の速度（例えば約２００ｍ／μ秒）がわかっているとき、第１のパルス信号の送信と第２のパルス信号の受信との間の時間間隔Δｔは、問題の位置を示す。
【００４０】
通常、機器１０内の第３の回路３は、（対応するヒューズが破壊された場合）、ランプ等の負荷１１１〜１１５が電力を消費し、ケーブル１０１を介して供給信号が負荷１１１〜１１５に供給されている夜の間に、第２の回路２を作動させることができる。スイッチ５がメモリ機能を有するときには、スイッチ５は、スイッチ５のリセットまで導通モードに留まる。このとき、ランプ等の負荷１１１〜１１５が電力を消費しておらず、供給信号が存在しない日中に、装置２０内の送信器２１は第１のパルス信号を送信し、装置２０内の受信器２２は第２のパルス信号を受信することができる。
【００４１】
機器１０が、機器１０自体の電源等を備えることも除外されるべきではない。
【００４２】
図８では、従来技術の負荷１１３が示される。この従来技術の負荷１１３は、整流ブリッジ２０１を含む。整流ブリッジ２０１の入力は、負荷１１３の入力である。整流ブリッジ２０１の出力は、ＤＣ‐ＤＣコンバータ２０３の入力と蓄積キャパシタ２０２とに結合される。ＤＣ‐ＤＣコンバータ２０３の出力は、１以上の発光ダイオード２０４に結合される。ここで、たとえ負荷１１１〜１１５のうちの１つにおけるシグナリングキャパシタ４が作動された場合でも、装置２０と負荷１１１〜１１５のうちの当該１つとの間に設置されている負荷１１１〜１１５のうちの別の１つにおける蓄積キャパシタ２０２が、第１のパルス信号を遮断し、第１のパルス信号を装置２０に戻る反射された第２のパルス信号へと変換する（蓄積キャパシタ２０２は、通常、シグナリングキャパシタ４のキャパシタンス値よりも大きなキャパシタンス値を有する）という事実のせいで、当該シグナリングキャパシタ４はこの第１のパルス信号を反射させない。
【００４３】
この問題を克服するために、装置２０内の充電器２３は、シグナリングキャパシタ４及び蓄積キャパシタ２０２を充電するための充電信号を生成し、装置２０内の放電器２４は、蓄積キャパシタ２０２を放電することなくシグナリングキャパシタ４を放電する。これは、整流器２０１は蓄積キャパシタ２０２がケーブルシステムを介して放電されるのを防ぐという事実のおかげで、容易にアレンジされ得る。このとき第１のパルス信号の振幅は、充電された蓄積キャパシタ２０２の間に存在する電圧信号の振幅よりも小さくなければならない。結果として、第１のパルス信号は、充電信号を介して充電された蓄積キャパシタ２０２によってもはや遮断されず、また反射されず、第１のパルス信号は、シグナリングキャパシタ４が以前に充電されたという事実等のおかげで、このシグナリングキャパシタ４によって第２のパルス信号へと変換等される。
【００４４】
図２乃至図８に示される実施形態に対し、多くの代替が可能である。例えば、図３及び図４では、シグナリングキャパシタ４及びスイッチ５は、それぞれ１以上の他の構成要素によって置き換えられ、及び／又はそれぞれ他の態様で接続されてもよい。例えば、図３及び図４では、第１の回路１は様々なサブ回路からなってもよく、及び／又は別様に接続されてもよい。非常に単純な例として、第１の回路１はコイルのリレーであってよく、このときスイッチ５はこのリレーへの接点を含む。ヒューズ１２１〜１２５が導通するのをやめたとき、リレーは別のモードになり、リレーの接点は互いに接続される（ここでもちろんリレーは（Ａ）ヒューズ１２１〜１２５が導通するのをやめることと（Ｂ）ケーブル１０１の電源が遮断されることとの違いを認識することができなければならず、したがって追加の回路がこの特定の場合には必要である）。したがって、第１の回路１のより複雑な実施形態は除外されず、場合によっては更なる回路等を用いて、トランジスタ、サイリスタ、トライアック等を含んでもよい。同様に、第２の回路２及び第３の回路３も、場合によっては更なる回路等を用いて、トランジスタ、サイリスタ、トライアック等を含んでもよい。
【００４５】
例えば図５では、装置２０において、送信器２１、受信器２２、充電器２３、及び放電器２４がより直接的にケーブル１０１と通信し得る場合、インターフェース２５は省かれてもよい。更に、送信器２１、受信器２２、充電器２３、及び放電器２４の機能の一部又は全部は、プロセッサ２６に一体化されてもよく、逆も同じである。任意のユニット２１〜２６はサブユニットに分割されてもよく、ユニット２１〜２６の任意のペアがより大きなユニット等へと組み合わされてもよい。最後に図８では、いかなる種類の、及びいかなる構成における整流ブリッジ２０１、蓄積キャパシタ２０２、ＤＣ‐ＤＣコンバータ２０３、及び１以上の発光ダイオード２０４も単に例示であり、他の種類の負荷１１１〜１１５は除外されるべきではない。充電／放電の状態を改善するために更なる回路が追加されてもよい。
【００４６】
要約すると、機器１０は、ケーブル１０１と、ヒューズ１２１を介してケーブル１０１に接続される負荷１１１とを含むケーブルシステムにおける問題を報告し、ヒューズ１２１が導通モードから非導通モードになっていること、又は当該非導通モードに達したことを検出するための第１の回路１と、ケーブル１０１に接続されている装置２０から第１のパルス信号を受信し、第１のパルス信号の受信に応じて、装置２０に第２のパルス信号を送信するための第２の回路２と、第１の回路からの検出結果に応じて、第２の回路２を作動させるための第３の回路３とを含む。装置２０は問題を探索し、機器１０に第１のパルス信号を送信するための送信器２１と、機器１０から第２のパルス信号を受信するための受信器２２とを含む。第２のパルス信号は問題を示し、第１のパルス信号の送信と第２のパルス信号の受信との間の時間間隔は問題の位置を示す。
【００４７】
本発明は、図面及び前述の説明において詳細に例示され説明されたが、こうした例示及び説明は、例示的又は典型的であると考えられるべきであり、限定と考えられるべきではなく、本発明は、開示された実施形態に限定されない。当業者によって、特許請求された発明を実施するにあたり、図面、明細書、及び添付の請求項の研究から、開示された実施形態の他のバリエーションが理解され達成されることができる。請求項で、「含む」の文言は他の要素又はステップを除外するものではなく、不定冠詞「ａ」又は「ａｎ」は複数を除外するものではない。特定の手段が、相互に異なる従属請求項に記載されているという単なる事実は、これらの手段の組合せを有利に使用できないことを意味するわけではない。請求項のいかなる参照符号も、範囲を限定するものとして解釈されるべきではない。
【図２】
2016525210.tif 000003
【図３】
2016525210.tif 000004
【図４】
2016525210.tif 000005
【図５】
2016525210.tif 000006
【図６】
2016525210.tif 000007
【図７】
2016525210.tif 000008
【図１】
2016525210.tif 000009
【図８】
2016525210.tif 000010
【国際調査報告】
2016525210.tif 000011
2016525210.tif 000012
2016525210.tif 000013
2016525210.tif 000014